Podtech/llm-jp-corpus-v4-ja_patent huggingface dataset:
【手続補正書】
【提出日】平成27年9月7日(2015.9.7)
【手続補正１】
【補正対象書類名】特許請求の範囲
【補正対象項目名】全文
【補正方法】変更
【補正の内容】
【特許請求の範囲】
【請求項１】
黒鉛と、その黒鉛を被覆する、窒素原子を有する難黒鉛化性炭素材料と、を含有する、炭素材。
【請求項２】
前記難黒鉛化性炭素材料が、アズルミン酸の炭素化物を含む、請求項１に記載の炭素材。
【請求項３】
黒鉛と、その黒鉛を被覆するアズルミン酸とを含有する、複合材。
【請求項４】
黒鉛と、その黒鉛を被覆するアズルミン酸とを含有する複合材に熱処理を施す工程を有する、炭素材の製造方法。
【請求項５】
前記アズルミン酸と有機酸とを含有する混合液に前記黒鉛を浸漬する工程と、前記黒鉛を浸漬している前記混合液から液体を除去して前記複合材を得る工程と、を更に有する、請求項４に記載の炭素材の製造方法。
【請求項６】
前記有機酸が蟻酸を含む、請求項５に記載の炭素材の製造方法。
【請求項７】
前記熱処理における熱処理温度が６００〜１５００℃である、請求項４〜６のいずれか１項に記載の炭素材の製造方法。
【請求項８】
請求項１又は２に記載の炭素材を含有する、リチウムイオン二次電池用負極。
【手続補正２】
【補正対象書類名】明細書
【補正対象項目名】００１０
【補正方法】変更
【補正の内容】
【００１０】
すなわち、本発明は、下記のとおりである。
［１］黒鉛と、その黒鉛を被覆する、窒素原子を有する難黒鉛化性炭素材料と、を含有する、炭素材。
［２］前記難黒鉛化性炭素材料が、アズルミン酸の炭素化物を含む、上記の炭素材。
［３］黒鉛と、その黒鉛を被覆するアズルミン酸とを含有する、複合材。
［４］黒鉛と、その黒鉛を被覆するアズルミン酸とを含有する複合材に熱処理を施す工程を有する、炭素材の製造方法。
［５］前記アズルミン酸と有機酸とを含有する混合液に前記黒鉛を浸漬する工程と、前記黒鉛を浸漬している前記混合液から液体を除去して前記複合材を得る工程と、を更に有する、上記の製造方法。
［６］前記有機酸が蟻酸を含む、請求項５に記載の炭素材の製造方法。
［７］前記熱処理における熱処理温度が６００〜１５００℃である、上記の製造方法。
［８］上記の炭素材を含有する、リチウムイオン二次電池用負極。
【手続補正書】
【提出日】平成27年11月6日(2015.11.6)
【手続補正１】
【補正対象書類名】特許請求の範囲
【補正対象項目名】全文
【補正方法】変更
【補正の内容】
【特許請求の範囲】
【請求項１】
前眼観察状態から眼底観察状態への自動遷移機能、眼底観察時のオートフォーカス機能、および眼底アライメント完了時の自動撮影機能を有する眼科撮影装置であって、
第１のユーザ操作に応じて、前記自動遷移機能、前記オートフォーカス機能、および前記自動撮影機能を無効にする第１の制御手段と、
第２のユーザ操作に応じて、前記無効にされた、前記自動遷移機能、前記オートフォーカス機能、および前記自動撮影機能を再度有効にする第２の制御手段と、
を備えることを特徴とする眼科撮影装置。
【請求項２】
フォーカスレンズを駆動するためのフォーカス操作部をさらに備え、
前記第１のユーザ操作は、前記フォーカス操作部の操作であることを特徴とする請求項１に記載の眼科撮影装置。
【請求項３】
２段階の押下が可能な撮影スイッチをさらに備え、
前記第２のユーザ操作は、前記撮影スイッチの１段目を規定時間以上押下する操作であることを特徴とする請求項１または２に記載の眼科撮影装置。
【請求項４】
前記撮影スイッチの２段目を押下する操作に応じて撮影が実行されることを特徴とする請求項３に記載の眼科撮影装置。
【請求項５】
前記第２のユーザ操作は、撮影する対象眼を変更する操作であり、
前記第２の制御手段は、前記対象眼が変更された場合に、前記無効にされた、前記自動遷移機能、前記オートフォーカス機能、および前記自動撮影機能を再度有効に制御することを特徴とする請求項１または２に記載の眼科撮影装置。
【請求項６】
前眼観察状態から眼底観察状態への自動遷移機能、眼底観察時のオートフォーカス機能、および眼底アライメント完了時の自動撮影機能を有する眼科撮影装置の制御方法であって、
第１のユーザ操作に応じて、前記自動遷移機能、前記オートフォーカス機能、および前記自動撮影機能を無効にする第１の制御工程と、
第２のユーザ操作に応じて、前記無効にされた、前記自動遷移機能、前記オートフォーカス機能、および前記自動撮影機能を再度有効にする第２の制御工程と、
を備えることを特徴とする眼科撮影装置の制御方法。
【手続補正２】
【補正対象書類名】明細書
【補正対象項目名】００１４
【補正方法】変更
【補正の内容】
【００１４】
上記の目的を達成する本発明に係る眼科撮影装置は、
前眼観察状態から眼底観察状態への自動遷移機能、眼底観察時のオートフォーカス機能、および眼底アライメント完了時の自動撮影機能を有する眼科撮影装置であって、
第１のユーザ操作に応じて、前記自動遷移機能、前記オートフォーカス機能、および前記自動撮影機能を無効にする第１の制御手段と、
第２のユーザ操作に応じて、前記無効にされた、前記自動遷移機能、前記オートフォーカス機能、および前記自動撮影機能を再度有効にする第２の制御手段と、
を備えることを特徴とする。
【手続補正３】
【補正対象書類名】明細書
【補正対象項目名】発明の名称
【補正方法】変更
【補正の内容】
【発明の名称】眼科撮影装置および眼科撮影装置の制御方法
【手続補正書】
【提出日】平成27年1月8日(2015.1.8)
【手続補正１】
【補正対象書類名】特許請求の範囲
【補正対象項目名】全文
【補正方法】変更
【補正の内容】
【特許請求の範囲】
【請求項１】
所定の遊技を行うことが可能な遊技機であって、
可変表示演出が実行される主表示装置と、
前記主表示装置とは異なる副表示装置と、
遊技者が操作可能な操作手段と、
第１演出を含む演出を実行可能な第１演出モードと、前記第１演出とは異なる第２演出を含む演出を実行可能な第２演出モードとを含む複数の演出モードのうちのいずれかの演出モードに対応する演出を前記副表示装置において実行する演出実行手段とを備え、
前記演出実行手段は、前記操作手段を用いた操作に基づいて演出モードを切り替えて演出を実行可能である
ことを特徴とする遊技機。
【手続補正２】
【補正対象書類名】明細書
【補正対象項目名】０００９
【補正方法】変更
【補正の内容】
【０００９】
（手段１）本発明による遊技機は、所定の遊技を行うことが可能な遊技機（例えば、パチンコ遊技機１）であって、可変表示演出が実行される主表示装置（例えば、演出表示装置９）と、主表示装置とは異なる副表示装置（例えば、副演出表示装置５１）と、遊技者が操作可能な操作手段（例えば、プッシュボタン１２０）と、第１演出（例えば、説明演出）を含む演出を実行可能な第１演出モード（例えば、説明演出モード）と、第１演出とは異なる第２演出（例えば、特定演出）を含む演出を実行可能な第２演出モード（例えば、特定演出モード）とを含む複数の演出モードのうちのいずれかの演出モードに対応する演出を副表示装置において実行する演出実行手段（例えば、演出制御用マイクロコンピュータ１００におけるステップＳ３００９，Ｓ３１０８，Ｓ３２０６を実行する部分）とを備え、演出実行手段は、操作手段を用いた操作に基づいて演出モードを切り替えて（例えば、ステップＳ２８０１〜Ｓ２８０４）演出を実行可能であることを特徴とする。そのような構成によれば、演出モードを切り替えることで演出が単調にならず、副表示装置を用いた演出の興趣性を向上させることができる。
【手続補正書】
【提出日】平成27年6月23日(2015.6.23)
【手続補正１】
【補正対象書類名】特許請求の範囲
【補正対象項目名】請求項９
【補正方法】変更
【補正の内容】
【請求項９】
前記枠体の後方側に接続された管体を備え、
前記枠体内の空間と前記管体内の空間とは、前記枠体後方の下寄りに形成された吸気口を介して通じていることを特徴とする請求項２から請求項８のいずれか一項に記載の掃除具。
【手続補正書】
【提出日】平成27年11月6日(2015.11.6)
【手続補正１】
【補正対象書類名】明細書
【補正対象項目名】０００８
【補正方法】変更
【補正の内容】
【０００８】
前記課題を解決するため、本発明に係る眼科装置は、被検眼に対して複数のアライメント指標を投影する投影手段と、前記被検眼の視神経乳頭の位置を検出する視神経乳頭位置検出手段と、前記アライメント指標の反射像から、前記被検眼と装置本体との位置のアライメント状態を検知するアライメント検知手段と、を有し、前記アライメント検知手段は、前記視神経乳頭の位置に応じて、前記複数のアライメント指標の反射像から少なくとも１つのアライメント指標の反射像を選択して、前記アライメント状態の検知を行うことを特徴とする。
【手続補正２】
【補正対象書類名】明細書
【補正対象項目名】０００９
【補正方法】変更
【補正の内容】
【０００９】
また、上記課題を解決するために、本発明に係る眼科撮影方法は、被検眼に対して複数のアライメント指標を投影する投影工程と、前記被検眼の視神経乳頭の位置を検出する視神経乳頭位置検出工程と、前記アライメント指標の反射像から、前記被検眼と装置本体との位置のアライメント状態を検知するアライメント検知工程と、を有し、前記アライメント検知工程において、前記視神経乳頭の位置に応じて、前記複数のアライメント指標の反射像から少なくとも１つのアライメント指標の反射像を選択して、前記アライメント状態の検知を行うことを特徴とする。
【手続補正３】
【補正対象書類名】特許請求の範囲
【補正対象項目名】全文
【補正方法】変更
【補正の内容】
【特許請求の範囲】
【請求項１】
被検眼に対して複数のアライメント指標を投影する投影手段と、
前記被検眼の視神経乳頭の位置を検出する視神経乳頭位置検出手段と、
前記アライメント指標の反射像から、前記被検眼と装置本体との位置のアライメント状態を検知するアライメント検知手段と、を有し、
前記アライメント検知手段は、前記視神経乳頭の位置に応じて、前記複数のアライメント指標の反射像から少なくとも１つのアライメント指標の反射像を選択して、前記アライメント状態の検知を行うことを特徴とする眼科装置。
【請求項２】
前記視神経乳頭位置検出手段は、前記被検眼の眼底の観察像より前記視神経乳頭の位置を検知することを特徴とする請求項１に記載された眼科装置。
【請求項３】
前記視神経乳頭位置検出手段は、前記被検眼が左右いずれの眼であるかを検出することを特徴とする請求項１に記載された眼科装置。
【請求項４】
前記アライメント検知手段は、前記アライメント指標の反射像が、前記視神経乳頭と重なっている場合は、前記複数のアライメント指標の中の、反射像が前記視神経乳頭と重なっているアライメント指標とは別の、少なくとも１つのアライメント指標の反射像を用いて、前記アライメント状態の検知を行うことを特徴とする請求項１に記載された眼科装置。
【請求項５】
被検眼に対して複数のアライメント指標を投影する投影工程と、
前記被検眼の視神経乳頭の位置を検出する視神経乳頭位置検出工程と、
前記アライメント指標の反射像から、前記被検眼と装置本体との位置のアライメント状態を検知するアライメント検知工程と、を有し、
前記アライメント検知工程において、前記視神経乳頭の位置に応じて、前記複数のアライメント指標の反射像から少なくとも１つのアライメント指標の反射像を選択して、前記アライメント状態の検知を行うことを特徴とする眼科撮影方法。
【手続補正書】
【提出日】平成27年11月9日(2015.11.9)
【手続補正１】
【補正対象書類名】明細書
【補正対象項目名】０００８
【補正方法】変更
【補正の内容】
【０００８】
上記課題を解決する為の本発明に係る眼科撮影装置は、被検眼の前眼部に指標を投影する指標投影手段と、
前記指標投影手段によって投影された指標の前記前眼部からの反射を撮像する撮像素子と、
前記撮像素子によって撮像された指標像から前記被検眼と装置との作動距離の合わせの状態の検知を行う作動距離検知手段と、
前記指標像のコントラストを評価するコントラスト評価手段と、を有し、
前記作動距離検知手段は、前記コントラスト評価手段の評価結果に応じて、前記被検眼と装置との作動距離方向の位置合わせの状態を検知することを特徴とする。
【手続補正２】
【補正対象書類名】明細書
【補正対象項目名】０００９
【補正方法】変更
【補正の内容】
【０００９】
また、上記課題を解決する為の本発明に係る眼科撮影方法は、被検眼の前眼部に指標を投影する指標投影工程と、
前記指標投影工程において投影された指標の前記前眼部からの反射を撮像する撮像工程と、
前記撮像工程によって撮像された指標像から前記被検眼と装置との作動距離方向の位置合わせの状態の検知を行う作動距離検知工程と、
前記指標像のコントラストを評価するコントラスト評価工程と、を有し、
前記作動距離検知工程においては、前記コントラスト評価工程での評価結果に応じて、前記被検眼と装置との作動距離方向の位置合わせの状態を検知することを特徴とする。
【手続補正３】
【補正対象書類名】特許請求の範囲
【補正対象項目名】全文
【補正方法】変更
【補正の内容】
【特許請求の範囲】
【請求項１】
被検眼の前眼部に指標を投影する指標投影手段と、
前記指標投影手段によって投影された指標の前記前眼部からの反射を撮像する撮像素子と、
前記撮像素子によって撮像された指標像から前記被検眼と装置との作動距離方向の位置合わせの状態の検知を行う作動距離検知手段と、
前記指標像のコントラストを評価するコントラスト評価手段と、を有し、
前記作動距離検知手段は前記コントラスト評価手段の評価結果に応じて、前記被検眼と装置との作動距離方向の位置合わせの状態を検知することを特徴とする眼科撮影装置。
【請求項２】
前記コントラスト評価手段は、少なくとも２つの階調値に対して、前記指標像が各諧調値以上である画素数の比又は差分に基づいて、前記コントラストの評価を行うことを特徴とする請求項１に記載の眼科撮影装置。
【請求項３】
前記階調値は、前記指標像の持つダイナミックレンジ内の階調値であることを特徴とする請求項２に記載の眼科撮影装置。
【請求項４】
前記作動距離検知手段は、前記コントラスト評価手段により前記指標像のコントラストが極大値を示す評価結果が提示された場合に、前記作動距離方向の位置合わせの状態が適正であることを検知することを特徴とする請求項１乃至３の何れか一項に記載の眼科撮影装置。
【請求項５】
被検眼の前眼部に指標を投影する指標投影工程と、
前記指標投影工程において投影された指標の前記前眼部からの反射を撮像する撮像工程と、
前記撮像工程によって撮像された指標像から前記被検眼と装置との作動距離方向の位置合わせの状態の検知を行う作動距離検知工程と、
前記指標像のコントラストを評価するコントラスト評価工程と、を有し、
前記作動距離検知工程においては、前記コントラスト評価工程での評価結果に応じて、前記被検眼と装置との作動距離方向の位置合わせの状態を検知することを特徴とする眼科撮影方法。
【手続補正書】
【提出日】平成27年10月27日(2015.10.27)
【手続補正１】
【補正対象書類名】特許請求の範囲
【補正対象項目名】全文
【補正方法】変更
【補正の内容】
【特許請求の範囲】
【請求項１】
始動入賞領域への遊技球の入賞に基づいて取得した複数の乱数値に基づいて、複数の識別情報が変動表示する変動表示ゲームの進行制御を行う遊技制御手段を備え、
前記変動表示ゲームの結果態様として予め定められた特別結果が導出されることに対応して、遊技者に遊技価値を付与する特別遊技状態を発生可能な遊技機において、
前記遊技制御手段は、
前記取得した複数の乱数値を、所定の判定値を用いて判定を行う乱数判定手段と、
前記変動表示ゲームの結果が前記特別結果となる確率状態として、通常確率状態よりも当選確率を高めた高確率状態を設定可能な確率設定手段と、を備え、
前記乱数判定手段には、
前記複数の乱数値を取得した際に、当該取得した複数の乱数値における変動表示ゲームにおいて導出する予定の結果態様が特別結果となるか否かの判定を行う事前当否判定手段と、
変動表示ゲームを実行する際に、通常確率状態又は高確率状態であるかに応じて異なる判定値を使用して、当該変動表示ゲームおいて導出される結果態様を特別結果とするか否かの判定を行う変動時当否判定手段と、が含まれ、
前記事前当否判定手段による判定では、変動表示ゲームを実行する際の確率状態が、通常確率状態及び高確率状態のいずれの確率状態である場合に当該変動表示ゲームで導出する予定の結果態様が特別結果となるかを区別可能であることを特徴とする遊技機。
【請求項２】
前記乱数判定手段には、
前記複数の乱数値を取得した際に、当該取得した複数の乱数値における変動表示ゲームで変動表示する予定の変動パターンの判定を行う事前変動態様判定手段と、
変動表示ゲームを実行する際に、当該変動表示ゲームで変動表示する変動パターンを決定するための判定を行う変動時変動態様判定手段と、が含まれ、
前記事前変動態様判定手段による判定と、前記変動時変動態様判定手段による判定は、同一の判定モジュールを使用して判定を行うようにしたことを特徴とする請求項１に記載の遊技機。
【手続補正２】
【補正対象書類名】明細書
【補正対象項目名】０００６
【補正方法】変更
【補正の内容】
【０００６】
そこで、本発明は上記した問題点に鑑みてなされたものであり、遊技者の興趣を低下させることのない先読み演出を実行可能な遊技機を提供することを目的とする。
【手続補正３】
【補正対象書類名】明細書
【補正対象項目名】０００７
【補正方法】変更
【補正の内容】
【０００７】
本発明の一形態によれば、始動入賞領域への遊技球の入賞に基づいて取得した複数の乱数値に基づいて、複数の識別情報が変動表示する変動表示ゲームの進行制御を行う遊技制御手段を備え、前記変動表示ゲームの結果態様として予め定められた特別結果が導出されることに対応して、遊技者に遊技価値を付与する特別遊技状態を発生可能な遊技機において、前記遊技制御手段は、前記取得した複数の乱数値を、所定の判定値を用いて判定を行う乱数判定手段と、前記変動表示ゲームの結果が前記特別結果となる確率状態として、通常確率状態よりも当選確率を高めた高確率状態を設定可能な確率設定手段と、を備え、前記乱数判定手段には、前記複数の乱数値を取得した際に、当該取得した複数の乱数値における変動表示ゲームにおいて導出する予定の結果態様が特別結果となるか否かの判定を行う事前当否判定手段と、変動表示ゲームを実行する際に、通常確率状態又は高確率状態であるかに応じて異なる判定値を使用して、当該変動表示ゲームおいて導出される結果態様を特別結果とするか否かの判定を行う変動時当否判定手段と、が含まれ、前記事前当否判定手段による判定では、変動表示ゲームを実行する際の確率状態が、通常確率状態及び高確率状態のいずれの確率状態である場合に当該変動表示ゲームで導出する予定の結果態様が特別結果となるかを区別可能であることを特徴とする。
【手続補正４】
【補正対象書類名】明細書
【補正対象項目名】０００８
【補正方法】変更
【補正の内容】
【０００８】
本発明の代表的な一形態によれば、遊技の興趣を低下させることのない先読み演出を実行可能な遊技機を提供することができる。
【手続補正書】
【提出日】平成27年3月2日(2015.3.2)
【手続補正１】
【補正対象書類名】特許請求の範囲
【補正対象項目名】全文
【補正方法】変更
【補正の内容】
【特許請求の範囲】
【請求項１】
識別情報の可変表示を行い表示結果を導出する可変表示手段に前記表示結果として特定表示結果が導出されたときに、遊技者にとって有利な有利状態に制御する遊技機であって、
前記表示結果が特定表示結果となるか否かを決定する決定手段と、
前記決定手段の決定結果に基づいて、前記識別情報の可変表示中に特定演出を実行するか否かを決定する特定演出決定手段と、
前記識別情報の可変表示の進行に応じて表示態様が変化する演出状態表示を実行する演出状態表示手段と、
前記特定演出決定手段によって前記特定演出を実行すると決定された場合に、前記演出状態表示の表示態様が特定態様に変化した後に前記特定演出を開始する特定演出開始手段と、
を備え、
前記演出状態表示手段は、複数種類のうちいずれかのタイミングで前記演出状態表示の表示態様を特定態様に変化させることが可能であり、
前記特定演出開始手段は、前記演出状態表示手段が複数種類のうちいずれのタイミングで前記演出状態表示の表示態様を特定態様に変化させたかに応じて異なる割合で、複数種類の演出態様のうちいずれかの特定演出を開始する、
ことを特徴とする遊技機。
【手続補正２】
【補正対象書類名】明細書
【補正対象項目名】０００１
【補正方法】変更
【補正の内容】
【０００１】
本発明は、パチンコ遊技機等の遊技機に関する。
【手続補正３】
【補正対象書類名】明細書
【補正対象項目名】０００７
【補正方法】変更
【補正の内容】
【０００７】
上記目的を達成するため、本発明の遊技機は、
（１）識別情報（例えば特別図柄や飾り図柄など）の可変表示を行い表示結果を導出する可変表示手段（例えば第１及び第２特別図柄表示装置４Ａ、４Ｂや画像表示装置５など）に前記表示結果として特定表示結果（例えば大当り図柄となる確定特別図柄や大当り組合せを構成する確定飾り図柄など）が導出されたときに、遊技者にとって有利な有利状態（例えば大当り遊技状態など）に制御する遊技機（例えばパチンコ遊技機１など）であって、
前記表示結果が特定表示結果となるか否かを決定する決定手段（例えば、図６のステップＳ２３９にて特図表示結果を決定するＣＰＵ１０３など）と、
前記決定手段の決定結果に基づいて、前記識別情報の可変表示中に特定演出を実行するか否かを決定する特定演出決定手段（例えば、図８のステップＳ２６２又はＳ２６５にて特定演出（スーパーリーチ演出）を含む変動パターン又は含まない変動パターンの何れかに決定するＣＰＵ１０３など）と、
前記識別情報の可変表示の進行に応じて表示態様が変化する演出状態表示（例えば、図１６及び図１７のメータ表示）を実行する演出状態表示手段（例えば、図１４のステップＳ５２５にて演出状態表示制御を実行する演出制御用ＣＰＵ１２０など）と、
前記特定演出決定手段によって前記特定演出を実行すると決定された場合に、前記演出状態表示の表示態様が特定態様に変化した後に前記特定演出を開始する特定演出開始手段（例えば、図１２のステップＳ５０９で決定した演出制御パターンに応じて定まる特定演出の実行開始タイミングで、図１４のステップＳ５２９にて特定演出の実行を開始する演出制御用ＣＰＵ１２０など）と、
を備え、
前記演出状態表示手段は、複数種類のうちいずれかのタイミングで前記演出状態表示の表示態様を特定態様に変化させることが可能であり、
前記特定演出開始手段は、前記演出状態表示手段が複数種類のうちいずれのタイミングで前記演出状態表示の表示態様を特定態様に変化させたかに応じて異なる割合で、複数種類の演出態様のうちいずれかの特定演出を開始する（図１０・図１３参照）、
ことを特徴とする。
このような構成によれば、演出状態表示が特定態様となるタイミングによって、複数の演出態様のうち何れの特定演出が実行されるかの割合が異なるため、演出状態表示の変化するタイミングへの遊技者の注目が高くなる。その結果、演出状態表示による演出効果を向上させ、遊技の興趣を高めることが出来る。
【手続補正４】
【補正対象書類名】明細書
【補正対象項目名】０００８
【補正方法】変更
【補正の内容】
【０００８】
（２）上記（１）の遊技機において、前記特定演出開始手段は、前記決定手段が前記表示結果が特定表示結果となると決定したか否かに応じて異なる割合で、複数種類のうちいずれの演出態様の特定演出を開始するか決定する（図１０参照）、としても良い。
このような構成によれば、特定演出の演出態様について、識別情報の表示結果が特定表示結果となる割合（所謂信頼度）を異ならせることが出来る。そのため、何れの演出態様で特定演出が実行されるか、その割合を決定する演出状態表示の変化するタイミングへの遊技者の注目がより高くなる。その結果、演出状態表示による演出効果を向上させ、遊技の興趣を高めることが出来る。
【手続補正５】
【補正対象書類名】明細書
【補正対象項目名】０００９
【補正方法】変更
【補正の内容】
【０００９】
（３）上記（１）又は（２）の遊技機において、前記決定手段と前記特定演出決定手段との決定結果に基づいて、前記特定演出開始手段が前記特定演出を開始する前に、該特定演出を一部に含む所定のリーチ演出を開始するリーチ演出開始手段（例えば、図１４のステップＳ５２８にてリーチ演出実行期間であると決定された場合に、ステップＳ５２９にてリーチ演出動作制御を開始する演出制御用ＣＰＵ１２０など）を更に備え、
前記複数種類のタイミングは、前記リーチ開始手段がリーチ演出を開始した後のタイミング（例えば、リーチ演出実行期間中のタイミングなど）を含む、としてよい。
このような構成によれば、リーチ演出の実行中に、演出状態表示が特定態様となって特定演出が実行されることへの期待感を与えることが出来る。そのため、リーチ演出の演出効果が向上し、遊技の興趣を高めることが出来る。
【手続補正書】
【提出日】平成27年3月2日(2015.3.2)
【手続補正１】
【補正対象書類名】特許請求の範囲
【補正対象項目名】全文
【補正方法】変更
【補正の内容】
【特許請求の範囲】
【請求項１】
識別情報の可変表示を行い表示結果を導出する可変表示手段に前記表示結果として特定表示結果が導出されたときに、遊技者にとって有利な有利状態に制御する遊技機であって、
前記表示結果が特定表示結果となるか否かを決定する決定手段と、
前記決定手段の決定結果に基づいて、前記識別情報の可変表示中に特定演出を実行するか否かを決定する特定演出決定手段と、
前記識別情報の可変表示の進行に応じて表示態様が変化する演出状態表示を実行する演出状態表示手段と、
前記特定演出決定手段によって前記特定演出を実行すると決定された場合に、前記演出状態表示の表示態様が特定態様に変化した後に前記特定演出を開始する特定演出開始手段と、
を備え、
前記演出状態表示手段は、
複数種類のうちのいずれかのタイミングで前記演出状態表示の表示態様を特定態様に変化させることが可能であり、
前記特定演出決定手段によって前記特定演出を実行すると決定されたか否かに応じて異なる割合で、複数種類のうちのいずれかのタイミングで前記演出状態表示の表示態様を特定態様に変化させる、
ことを特徴とする遊技機。
【手続補正２】
【補正対象書類名】明細書
【補正対象項目名】０００１
【補正方法】変更
【補正の内容】
【０００１】
本発明は、パチンコ遊技機等の遊技機に関する。
【手続補正３】
【補正対象書類名】明細書
【補正対象項目名】０００７
【補正方法】変更
【補正の内容】
【０００７】
上記目的を達成するため、本発明の遊技機は、
（１）識別情報（例えば特別図柄や飾り図柄など）の可変表示を行い表示結果を導出する可変表示手段（例えば第１及び第２特別図柄表示装置４Ａ、４Ｂや画像表示装置５など）に前記表示結果として特定表示結果（例えば大当り図柄となる確定特別図柄や大当り組合せを構成する確定飾り図柄など）が導出されたときに、遊技者にとって有利な有利状態（例えば大当り遊技状態など）に制御する遊技機（例えばパチンコ遊技機１など）であって、
前記表示結果が特定表示結果となるか否かを決定する決定手段（例えば、図６のステップＳ２３９にて特図表示結果を決定するＣＰＵ１０３など）と、
前記決定手段の決定結果に基づいて、前記識別情報の可変表示中に特定演出を実行するか否かを決定する特定演出決定手段（例えば、図８のステップＳ２６２又はＳ２６５にて特定演出（スーパーリーチ演出の何れか）を含む変動パターン又は含まない変動パターンの何れかに決定するＣＰＵ１０３など）と、
前記識別情報の可変表示の進行に応じて表示態様が変化する演出状態表示（例えば、図１６及び図１７のメータ表示）を実行する演出状態表示手段（例えば、図１４のステップＳ５２５にて演出状態表示制御を実行する演出制御用ＣＰＵ１２０など）と、
前記特定演出決定手段によって前記特定演出を実行すると決定された場合に、前記演出状態表示の表示態様が特定態様に変化した後に前記特定演出を開始する特定演出開始手段（例えば、図１２のステップＳ５０９で決定した演出制御パターンに応じて定まる特定演出の実行開始タイミングで、図１４のステップＳ５２９にて特定演出の実行を開始する演出制御用ＣＰＵ１２０など）と、
を備え、
前記演出状態表示手段は、
複数種類のうちのいずれかのタイミングで前記演出状態表示の表示態様を特定態様に変化させることが可能であり、
前記特定演出決定手段によって前記特定演出を実行すると決定されたか否かに応じて異なる割合で、複数種類のうちのいずれかのタイミングで前記演出状態表示の表示態様を特定態様に変化させる、
ことを特徴とする。
このような構成によれば、演出状態表示が特定態様となるタイミングによって、識別情報の表示結果が特定表示結果となるかに関する特定演出が実行される割合が異なるため、演出状態表示の変化するタイミングへの遊技者の注目が高くなる。その結果、演出状態表示による演出効果を向上させ、遊技の興趣を高めることが出来る。
【手続補正４】
【補正対象書類名】明細書
【補正対象項目名】００１２
【補正方法】変更
【補正の内容】
【００１２】
（６）上記（１）から（５）のいずれかの遊技機において、前記決定手段と前記特定演出決定手段との決定結果に基づいて、前記特定演出開始手段が前記特定演出を開始する前に、該特定演出を一部に含む所定のリーチ演出を開始するリーチ演出開始手段（例えば、図１４のステップＳ５２８にてリーチ演出実行期間であると決定された場合に、ステップＳ５２９にてリーチ演出動作制御を開始する演出制御用ＣＰＵ１２０など）を更に備え、
前記複数種類のタイミングは、前記リーチ開始手段がリーチ演出を開始した後のタイミング（例えば、リーチ演出実行期間中のタイミングなど）を含む、としてよい。
このような構成によれば、リーチ演出の実行中に、演出状態表示が特定態様となって特定演出が実行されることへの期待感を与えることが出来る。そのため、リーチ演出の演出効果が向上し、遊技の興趣を高めることが出来る。
【手続補正書】
【提出日】平成27年11月9日(2015.11.9)
【手続補正１】
【補正対象書類名】特許請求の範囲
【補正対象項目名】全文
【補正方法】変更
【補正の内容】
【特許請求の範囲】
【請求項１】
照明光学系の観察光源の照明光で照明された被検眼の画像を、撮影光学系を介して取得する撮像手段と、
前記撮像手段で取得された被検眼の画像を、前記被検眼の観察部位に応じた表示倍率で、表示手段に表示させる画像処理手段と、を有することを特徴とする眼科装置。
【請求項２】
前記観察部位の変更を検知する検知手段と、
変更された観察部位に対応する表示倍率の情報を取得して、前記画像処理手段に設定する設定手段と、を更に有し、
前記画像処理手段は、前記変更された観察部位の画像を、前記設定手段で設定された表示倍率で、前記表示手段に表示させることを特徴とする請求項１に記載の眼科装置。
【請求項３】
前記表示手段とは異なる外部表示手段が接続されたことを検知する接続検知手段と、
前記外部表示手段の接続が検知された場合、前記外部表示手段の表示領域のサイズを示す情報と前記表示手段の表示領域のサイズを示す情報とを比較する比較手段と、
前記比較手段の比較結果により、前記表示手段と前記外部表示手段のうち大きい表示領域を有するものを選択する選択手段と、を更に有し、
前記外部表示手段が選択された場合、前記設定手段は前記外部表示手段に応じた表示倍率の情報を取得して、当該表示倍率を前記画像処理手段に設定することを特徴とする請求項２に記載の眼科装置。 
【請求項４】
前記画像処理手段は、前記被検眼の前眼部を観察する場合、前記前眼部の画像と、前記前眼部を指定位置に位置合わせするためのアライメント指標とを、前記前眼部の観察に応じた表示倍率で前記表示手段に表示させることを特徴とする請求項１乃至３のいずれか１項に記載の眼科装置。 
【請求項５】
前記表示手段に比べて大きい表示領域を有する前記外部表示手段が前記選択手段により選択された場合、前記画像処理手段は、前眼部の観察に応じた表示倍率で拡大した前記前眼部の画像と、前記表示倍率で拡大表示しない全画角の前眼部の画像と、を前記外部表示手段に表示させることを特徴とする請求項３に記載の眼科装置。
【請求項６】
前記画像処理手段は、前記被検眼の眼底を観察する場合、前記眼底の観察に応じた表示倍率で前記表示手段に表示させることを特徴とする請求項１乃至５のいずれか１項に記載の眼科装置。
【請求項７】
操作手段により、当該眼科装置の操作が変更される場合、前記設定手段は変更された操作に対応する示倍率の情報を取得して、前記画像処理手段に設定し、
前記画像処理手段は、前記操作が継続されている間は、前記被検眼の画像を前記設定手段で設定された表示倍率で前記表示手段に表示させ、
前記操作の終了後には、前記操作が変更される前の表示倍率で前記被検眼の画像を前記表示手段に表示させることを特徴とする請求項２に記載の眼科装置。
【手続補正２】
【補正対象書類名】明細書
【補正対象項目名】発明の名称
【補正方法】変更
【補正の内容】
【発明の名称】眼科装置
【手続補正３】
【補正対象書類名】明細書
【補正対象項目名】０００１
【補正方法】変更
【補正の内容】
【０００１】
本発明は、眼科装置に関する。
【手続補正４】
【補正対象書類名】明細書
【補正対象項目名】０００９
【補正方法】変更
【補正の内容】
【０００９】
本発明の一つの側面に係る眼科装置は、
照明光学系の観察光源の照明光で照明された被検眼の画像を、撮影光学系を介して取得する撮像手段と、
前記撮像手段で取得された被検眼の画像を、前記被検眼の観察部位に応じた表示倍率で、表示手段に表示させる画像処理手段と、を有することを特徴とする。
【手続補正書】
【提出日】平成27年10月28日(2015.10.28)
【手続補正１】
【補正対象書類名】特許請求の範囲
【補正対象項目名】全文
【補正方法】変更
【補正の内容】
【特許請求の範囲】
【請求項１】
検出手段で検出された画像を、異常の有無の判定対象となる複数の判定画像に分割する分割手段と、
前記画像の基準となる領域の画素値のばらつきの分布を示す基準情報と、前記判定画像の画素値のばらつきの分布を示す判定情報と、を取得する取得手段と、
前記基準情報と前記判定情報とを用いた比較処理により、前記判定画像に異常が含まれるか否かを判定する比較処理手段と、
を備えることを特徴とする画像処理装置。
【請求項２】
前記比較処理手段は、画素値のばらつきの分布に対する微分処理から、前記基準情報の画素値のばらつきの分布の極大値の数と、前記判定情報の画素値のばらつきの分布の極大値の数とを取得し、
前記判定情報から取得した極大値の数が、前記基準情報から取得した極大値の数と一致する場合、前記判定画像を正常と判定し、
前記判定情報から取得した極大値の数が、前記基準情報から取得した極大値の数と異なる場合、前記比較処理手段は前記判定画像に異常が含まれると判定する
ことを特徴とする請求項１に記載の画像処理装置。
【請求項３】
前記比較処理手段は、
前記判定情報において閾値以下の画素値を持つ画素数が、前記基準情報において前記閾値以下の画素値を持つ画素数以下の場合、前記判定画像を正常と判定し、
前記判定情報において閾値以下の画素値を持つ画素数が、前記基準情報において当該画素値の閾値以下の画素値を持つ画素数を超える場合、前記判定画像に異常が含まれると判定する
ことを特徴とする請求項１または２に記載の画像処理装置。
【請求項４】
前記比較処理手段は、前記基準情報における画素値のばらつきの分布と前記判定情報における画素値のばらつきの分布との相関を示す係数を取得し、
前記係数が閾値以上の場合に前記判定画像を正常と判定し、閾値未満の場合に前記判定画像に異常が含まれると判定する
ことを特徴とする請求項１乃至３のいずれか１項に記載の画像処理装置。
【請求項５】
隣り合う判定画像の特徴量が閾値範囲以内の場合、当該隣り合う判定画像を統合可能と判定し、前記特徴量が閾値範囲を超える場合、統合不可能と判定する判定手段と、
前記統合可能と判定された前記隣り合う判定画像を前記基準となる領域の画像として統合する画像統合処理手段と、
を更に備えることを特徴とする請求項１乃至４のいずれか１項に記載の画像処理装置。
【請求項６】
前記検出手段で検出された画像に対してシェーディング補正を行う補正手段を更に備え、
前記分割手段は、前記シェーディング補正された補正画像を、異常の有無の判定対象となる複数の判定画像に分割することを特徴とする請求項１乃至５のいずれか１項に記載の画像処理装置。
【請求項７】
前記検出手段で検出された画像に対してシェーディング補正を行う補正手段と、
前記シェーディング補正された画像の画素値の平均値に合わせるように、前記判定画像の画素値の平均値を補正する平均値シフト処理手段と、
前記画素値の平均値を補正した前記判定画像を前記基準となる領域の画像として一つの画像に統合する画像統合処理手段と、
を更に備えることを特徴とする請求項１乃至４のいずれか１項に記載の画像処理装置。
【請求項８】
前記取得手段は、前記基準情報から前記基準となる領域の画像について、画素値と頻度との関係を示す基準ヒストグラムと、前記判定情報から前記判定画像について画素値と頻度との関係を示す判定画像ヒストグラムと、を作成し、
前記比較処理手段は、前記基準ヒストグラムと前記判定画像ヒストグラムとを用いた前記比較処理により、前記判定画像に異常が含まれるか否かを判定することを特徴とする請求項１乃至７のいずれか１項に記載の画像処理装置。
【請求項９】
前記基準ヒストグラムと前記判定画像ヒストグラムとを並べて表示手段に表示する出力処理手段を更に備えることを特徴とする請求項８に記載の画像処理装置。
【請求項１０】
前記出力処理手段は、前記比較処理手段の判定結果を前記表示手段に表示することを特徴とする請求項９に記載の画像処理装置。
【請求項１１】
前記分割手段は、前記検出手段の検出精度に合わせて、分割する判定画像のサイズを変更することを特徴とする請求項１乃至１０のいずれか１項に記載の画像処理装置。
【請求項１２】
放射線を発生する放射線発生手段と、
前記放射線発生手段で発生した放射線を検出する検出手段と、
前記検出手段で検出された画像を処理する請求項１乃至１１のいずれか１項に記載の画像処理装置と、
を有することを特徴とする放射線撮影システム。
【請求項１３】
画像処理装置の画像処理方法であって、
前記画像処理装置の分割手段が、検出手段で検出された画像を、異常の有無の判定対象となる複数の判定画像に分割する分割工程と、
前記画像処理装置の取得手段が、前記画像の基準となる領域の画素値のばらつきの分布を示す基準情報と、前記判定画像の画素値のばらつきの分布を示す判定情報と、を取得する取得工程と、
前記画像処理装置の比較処理手段が、前記基準情報と前記判定情報とを用いた比較処理により、前記判定画像に異常が含まれるか否かを判定する比較処理工程と、
を有することを特徴とする画像処理方法。
【請求項１４】
コンピュータを、請求項１乃至１１のいずれか１項に記載の画像処理装置の各手段として機能させるためのプログラム。
【請求項１５】
複数のセンサチップを貼り合せたＸ線センサと、 前記Ｘ線センサにＸ線を照射して得られる白画像についての異常判定を行う画像処理装置と、を有する放射線撮影システムであって、
前記複数のセンサチップのそれぞれに対応する前記白画像の部分領域の情報を取得する領域取得手段と、 
前記取得された部分領域毎に画素値のばらつきを示す分布情報を取得する分布取得手段と、
前記部分領域を統合して得られる統合画像から画素値のばらつきを示す基準分布情報を取得し、前記基準分布情報とそれぞれの部分領域における分布情報とを比較し、それぞれの部分領域に異常が含まれるか否かを判定する判定手段と、
を有することを特徴とする放射線撮影システム。
【手続補正書】
【提出日】平成27年11月6日(2015.11.6)
【手続補正１】
【補正対象書類名】特許請求の範囲
【補正対象項目名】全文
【補正方法】変更
【補正の内容】
【特許請求の範囲】
【請求項１】
被検眼の対象部位からの反射光を撮像する撮像手段と、
前記撮像手段により撮像された画像を用いて合焦動作を行う合焦手段と、を有し、
前記合焦手段は、撮像動作を行うまでの間に実行する複数回の合焦動作において、前記被検眼の対象部位が前眼部から眼底部へ変化した場合に開始される合焦動作が終了した後、所定の変化又は変更に応じて、次回の合焦動作が行われるまでの期間は、合焦動作を休止することを特徴とする眼科撮像装置。
【請求項２】
アライメント指標投影手段と、
前記撮像手段で撮像されたアライメント指標からアライメント状態を検出するアライメント状態検出手段と、をさらに有し、
前記合焦手段は、前記次回の合焦動作を、アライメント状態の変化が検出された場合に行うことを特徴とする請求項１に記載の眼科撮像装置。
【請求項３】
前記被検眼の固視位置を指示する固視位置指示手段と、
前記固視位置指示手段によって指示される固視位置を変更する固視位置変更手段と、をさらに有し、
前記合焦手段は、前記次回の合焦動作を、前記固視位置変更手段によって前記固視位置が変更された場合に行うことを特徴とする請求項１に記載の眼科撮像装置。
【請求項４】
前記固視位置指示手段は、内部固視灯であることを特徴とする請求項３に記載の眼科撮像装置。
【請求項５】
前記被検眼の反射光量を検出する反射光量検出手段をさらに有し、
前記合焦手段は、前記次回の合焦動作を、前記反射光量検出手段によって前記反射光量が所定量以上変化した場合に行うことを特徴とする請求項１に記載の眼科撮像装置。
【請求項６】
前記合焦手段は、前記次回の合焦動作を、フォーカス開始スイッチの操作が検出された場合に行うことを特徴とする請求項１に記載の眼科撮像装置。
【手続補正２】
【補正対象書類名】明細書
【補正対象項目名】０００５
【補正方法】変更
【補正の内容】
【０００５】
上記の課題を解決するために、本発明は、被検眼の対象部位からの反射光を撮像する撮像手段と、前記撮像手段により撮像された画像を用いて合焦動作を行う合焦手段と、を有し、前記合焦手段は、撮像動作を行うまでの間に実行する複数回の合焦動作において、前記被検眼の対象部位が前眼部から眼底部へ変化した場合に開始される合焦動作が終了した後、所定の変化又は変更に応じて、次回の合焦動作が行われるまでの期間は、合焦動作を休止することを特徴とする。
【手続補正書】
【提出日】平成27年1月20日(2015.1.20)
【手続補正１】
【補正対象書類名】特許請求の範囲
【補正対象項目名】全文
【補正方法】変更
【補正の内容】
【特許請求の範囲】
【請求項１】
槽内を周回移動する一対の無端チェーンに対して、周回方向に沿ってフライトが複数取り付けられ、前記一対の無端チェーンが周回移動することにより、前記フライトが、前記槽の底及び前記槽の水面に沿って周回移動し、前記槽の底に堆積した堆積物及び前記槽の水面に浮遊した浮遊物を掻き寄せる汚泥掻寄機に適用される前記フライトであって、
前記フライトの前面と後面とを貫通する貫通部を少なくとも一個以上備えることを特徴とするフライト。
【請求項２】
前記貫通部に対して、前記浮遊物の通過を遮断しつつ水を通過させる手段を有することを特徴とする請求項１に記載のフライト。
【請求項３】
前記水面に沿って移動する際に前記貫通部を開放し、前記底に沿って移動する際に前記貫通部を閉じる開閉機構が付設されることを特徴とする請求項１又は２に記載のフライト。
【請求項４】
請求項１から３の何れか一項に記載のフライトを備える汚泥掻寄機。
【請求項５】
前記フライトの前記貫通部は、前記フライトが前記水面に沿って移動する際に、前記水面の下に位置することを特徴とする請求項４に記載の汚泥掻寄機。
【請求項６】
前記貫通部を有する前記フライトと、前記貫通部を有さない前記フライトとを、両方備えることを特徴とする請求項４又は５に記載の汚泥掻寄機。
【手続補正２】
【補正対象書類名】明細書
【補正対象項目名】０００６
【補正方法】変更
【補正の内容】
【０００６】
すなわち、本発明に係るフライトは、槽内を周回移動する一対の無端チェーンに対して、周回方向に沿ってフライトが複数取り付けられ、一対の無端チェーンが周回移動することにより、フライトが、槽の底及び槽の水面に沿って周回移動し、槽の底に堆積した堆積物及び槽の水面に浮遊した浮遊物を掻き寄せる汚泥掻寄機に適用されるフライトであって、フライトの前面と後面とを貫通する貫通部が少なくとも一個以上設けられることを特徴とする。
【手続補正３】
【補正対象書類名】明細書
【補正対象項目名】０００７
【補正方法】変更
【補正の内容】
【０００７】
本発明のフライトによれば、フライトが水面に沿って移動する際に、フライトの進行方向に対して生じる水流は、フライトに設けられた貫通部を通り進行方向下流側へ抜けるように形成される。このため、浮遊物がフライトの両側へ抜けることを防ぐことができ、浮遊物を効率よく掻き寄せることができる。
【手続補正４】
【補正対象書類名】明細書
【補正対象項目名】０００８
【補正方法】変更
【補正の内容】
【０００８】
ここで、フライトは、貫通部に対して浮遊物の通過を遮断しつつ水を通過させる手段を有していると、フライトが水面を移動する際に、当該手段により、浮遊物が、フライトに設けられた貫通部を通り進行方向下流側へ抜けることを防ぐことができ、浮遊物をより一層効率よく掻き寄せることができる。
【手続補正５】
【補正対象書類名】明細書
【補正対象項目名】０００９
【補正方法】変更
【補正の内容】
【０００９】
また、フライトは、水面に沿って移動する際に貫通部を開放し、底に沿って移動する際に貫通部を閉じる開閉機構が付設されていると、水面に沿って移動する場合に貫通部が開放され、貫通部を通る水流が形成されて、浮遊物がフライトの両側へ抜けることを防ぐことができ、一方、底に沿って移動する場合に貫通部が閉じられ、汚泥が貫通部を通り進行方向下流側へ抜けることを防ぐことができる。このため、浮遊物及び堆積物を効率よく掻き寄せることができる。
【手続補正６】
【補正対象書類名】明細書
【補正対象項目名】００１１
【補正方法】変更
【補正の内容】
【００１１】
ここで、汚泥掻寄機は、フライトの貫通部が、フライトが水面に沿って移動する際に、水面の下に位置していると、フライトが水面を移動する際に、フライトの進行方向に対して生じる水流は、フライトの水面より下に位置する貫通部を通り進行方向下流側へ抜け、浮遊物は、フライトの貫通部より上の部分に遮られ、フライトの両側へ抜けることを防ぐことができる。よって、浮遊物をより効率良く掻き寄せることができる。
【手続補正７】
【補正対象書類名】明細書
【補正対象項目名】００１２
【補正方法】変更
【補正の内容】
【００１２】
また、汚泥掻寄機は、貫通部を有するフライトと、貫通部を有さないフライトとを、両方備えていると、貫通部を有さないフライトにより堆積物を効率良く掻き寄せることができると共に、貫通部を有するフライトにより効率良く浮遊物を掻き寄せことができる。よって、浮遊物及び堆積物をより一層効率良く掻き寄せることができる。
【手続補正書】
【提出日】平成27年10月1日(2015.10.1)
【手続補正１】
【補正対象書類名】明細書
【補正対象項目名】０００５
【補正方法】変更
【補正の内容】
【０００５】
ところで、特許文献１に開示されたスロットマシンのように、ＡＲＴ遊技状態を発生可能なスロットマシンにおいて、上乗せゲーム数の告知態様は限られているため遊技者にすぐに飽きられてしまう虞がある。
【手続補正２】
【補正対象書類名】明細書
【補正対象項目名】０００６
【補正方法】変更
【補正の内容】
【０００６】
本発明は、ＡＴ遊技状態を発生可能なスロットマシンにおいて、当該ＡＴ遊技状態の上乗せゲーム数の告知態様に変化を持たせ、遊技者に飽きられてしまうことを抑制することができるスロットマシンの提供を目的とする。
【手続補正３】
【補正対象書類名】明細書
【補正対象項目名】０００７
【補正方法】変更
【補正の内容】
【０００７】
上記の課題を解決するため、請求項１に記載の発明は、
複数種類の図柄が表示された複数のリールの回転を開始させるためのスタートスイッチと、当該複数のリールの回転を停止させるためのストップスイッチと、を備え、
前記ストップスイッチの停止操作に応じ、全てのリールが停止して図柄組合せ態様が導出されることにより一のゲームが終了するように構成されたスロットマシンにおいて、
前記スタートスイッチの操作により入力される信号に基づいて特定役を含む複数の役のいずれかに当選か又はハズレかの役抽選を実行する役抽選手段と、
前記役抽選手段により当選した当選役に対応する図柄組合せ態様が導出されたか否かを判定する入賞判定手段と、
前記当選役に対応する図柄組合せ態様を導出可能であることを遊技者に報知可能な報知遊技を制御する報知遊技制御手段と、
前記報知遊技の実行を延長するか否かを抽選する報知遊技抽選手段と、
前記報知遊技抽選手段による抽選結果に基づき、前記報知遊技の実行を延長する延長期間を遊技者に報知する報知遊技当選告知手段と、
前記報知遊技当選告知手段による報知のタイミングを決定する報知タイミング決定手段と、
を備え、
前記報知遊技当選告知手段は、前記報知タイミング決定手段によって決定された第１の報知タイミングに至る前に前記報知遊技抽選手段による新たな抽選が行われ、当該抽選結果に基づき前記報知遊技当選告知手段による前記延長期間の報知を実行する場合に、前記報知タイミング決定手段によって決定される第２の報知タイミングが前記第１の報知タイミングよりも早いタイミングであるときは、前記第１の報知タイミングで報知する予定であった前記延長期間を前記第２の報知タイミングで報知する予定であった前記延長期間と合わせて報知することを特徴とする。
【手続補正４】
【補正対象書類名】明細書
【補正対象項目名】０００８
【補正方法】変更
【補正の内容】
【０００８】
請求項１に記載の発明によれば、報知タイミング決定手段によって決定された第１の報知タイミングに至る前に報知遊技抽選手段による新たな抽選が行われ、当該抽選結果に基づき報知遊技当選告知手段による延長期間の報知を実行する場合に、報知タイミング決定手段によって決定される第２の報知タイミングが第１の報知タイミングよりも早いタイミングであるときは、第１の報知タイミングで報知する予定であった延長期間を第２の報知タイミングで報知する予定であった延長期間と合わせて報知するので、報知遊技当選告知手段による報知に対する興趣を向上させることができるようになり、遊技者に飽きられてしまうことを抑制することができる。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
本発明によれば、報知遊技当選告知手段による報知に対する興趣を向上させることができるようになり、遊技者に飽きられてしまうことを抑制することができる。
【手続補正１０】
【補正対象書類名】特許請求の範囲
【補正対象項目名】全文
【補正方法】変更
【補正の内容】
【特許請求の範囲】
【請求項１】
複数種類の図柄が表示された複数のリールの回転を開始させるためのスタートスイッチと、当該複数のリールの回転を停止させるためのストップスイッチと、を備え、
前記ストップスイッチの停止操作に応じ、全てのリールが停止して図柄組合せ態様が導出されることにより一のゲームが終了するように構成されたスロットマシンにおいて、
前記スタートスイッチの操作により入力される信号に基づいて特定役を含む複数の役のいずれかに当選か又はハズレかの役抽選を実行する役抽選手段と、
前記役抽選手段により当選した当選役に対応する図柄組合せ態様が導出されたか否かを判定する入賞判定手段と、
前記当選役に対応する図柄組合せ態様を導出可能であることを遊技者に報知可能な報知遊技を制御する報知遊技制御手段と、
前記報知遊技の実行を延長するか否かを抽選する報知遊技抽選手段と、
前記報知遊技抽選手段による抽選結果に基づき、前記報知遊技の実行を延長する延長期間を遊技者に報知する報知遊技当選告知手段と、
前記報知遊技当選告知手段による報知のタイミングを決定する報知タイミング決定手段と、
を備え、
前記報知遊技当選告知手段は、前記報知タイミング決定手段によって決定された第１の報知タイミングに至る前に前記報知遊技抽選手段による新たな抽選が行われ、当該抽選結果に基づき前記報知遊技当選告知手段による前記延長期間の報知を実行する場合に、前記報知タイミング決定手段によって決定される第２の報知タイミングが前記第１の報知タイミングよりも早いタイミングであるときは、前記第１の報知タイミングで報知する予定であった前記延長期間を前記第２の報知タイミングで報知する予定であった前記延長期間と合わせて報知することを特徴とするスロットマシン。